(57)【特許請求の範囲】
【請求項１】
脚の上部に設けた基板上にクッション材を設け、前記クッション材と基板とを、前記基板の裏面中央部を残して表皮材で覆い、かつ前記表皮材の周縁に形成された挿通部に可撓性の締付紐条を挿通し、該締付紐条を緊張させることにより、表皮材を固定してなる椅子の座席において、
前記基板における内側方に湾曲する湾曲部の裏面に、前記締付紐条の外側を受け止める係止片を突設したことを特徴とする椅子の座席。
【請求項２】
基板の縁に垂下する側壁を形成し、この側壁の内側に係止片を対向させて設けてなる請求項１記載の椅子の座席。
【請求項３】
係止片の下端に、締付紐条の外れ防止のための内向鈎片を形成してなる請求項１または２記載の椅子の座席。
【請求項４】
内向鈎片の上面を、側壁の下端より上方に位置させてなる請求項３記載の椅子の座席。
【発明の詳細な説明】
【０００１】
【発明の属する技術分野】
本発明は、椅子の座席に関する。
【０００２】
【従来の技術】
図４〜図８に示すように、脚（２１）の上部に設けた基板（２２）上にクッション材（２３）を設け、このクッション材（２３）と基板（２２）とを、基板（２２）の裏面の中央部（２２ａ）を残して表皮材（２４）で覆い、かつ表皮材（２４）の周縁に形成された挿通部（２５）に可撓性の締付紐条（２６）を挿通し、これを緊張させて、表皮材（２４）を窄めることによって形成した椅子の座席は周知である。
【０００３】
しかし、背もたれの支柱（図示省略）から逃げるため、基板（２２）の後縁（２２ｂ）が内側に湾曲している個所では、その部分の締付紐条（２６）は直線状態になり、表皮材（２４）を基板（２２）の内側方へ引っ張ることができない。
【０００４】
そのため、図７に示すように、基板（２２）の後縁（２２ｂ）における表皮材（２４）と側壁（２７）との間、あるいは図８に示すように、側壁（２７）の外面とクッション材（２３）の内面との間に隙間が生じ、その部分の表皮材（２４）は基板（２２）に密着することができず、この部分では、クッション材（２３）が不安定な状態となる。
【０００５】
本発明は、上記の問題点に鑑み、基板における内側方へ湾曲した部分においても、表皮材やクッション材を、その湾曲した部分に密着させることのできるようにした、椅子の座席を提供することを目的としている。
【０００６】
【課題を解決するための手段】
本発明によると、上記課題は、次のようにして解決される。
（１）  脚の上部に設けた基板上にクッション材を設け、前記クッション材と基板とを、前記基板の裏面中央部を残して表皮材で覆い、かつ前記表皮材の周縁に形成された挿通部に可撓性の締付紐条を挿通し、該締付紐条を緊張させることにより、表皮材を固定してなる椅子の座席において、前記基板における内側方に湾曲する湾曲部の裏面に、前記締付紐条の外側を受け止める係止片を突設する。
【０００７】
（２）  基板の縁に垂下する側壁を形成し、この側壁の内側に係止片を対向させて設ける。
【０００８】
（３）  係止片の下端に、締付紐条の外れ防止のための内向鈎片を形成する。
【０００９】
（４）  内向鈎片の上面を、側壁の下端より上方に位置させる。
【００１０】
【発明の実施の形態】
以下、本発明の実施の形態を、図１〜３に基づいて説明する。
【００１１】
前述したように、椅子の座席では、クッション材（２３）が基板（２２）における垂下する側壁（２７）を被っているものと、そうでないものとがある。
しかし本発明の適用に関しては、いずれのタイプのものにおいても異なるところはないので、図１〜図３を参照の上、前者のみを例にあげて説明する。
【００１２】
椅子の脚（１）の上部に取付けられる基板（２）は、平面視五角形をなしているが、その後縁（２ａ）は前方へ向かって湾曲している。基板（２）の全周には、補強のための垂下する側壁（３）が設けられている。
【００１３】
前方へ湾曲する後縁（２ａ）における側壁（３）のやや内側方において、基板（２）の下面には、側方へ並ぶ複数の垂下する係止片（４）が、基板（２）と一体的に形成されている。
【００１４】
係止片（４）の下端には、内向鈎片（４ａ）が設けられている。内向鈎片（４ａ）の上面は、側壁（３）の下端よりやや上方に位置させてある。
【００１５】
基板（２）の上面およびその側壁（３）を被うように、発泡軟質樹脂からなるクッション材（５）が設けられ、かつ基板（２）とクッション材（５）は、基板（２）の裏面の中央部（２ｂ）を残して、表皮材（６）をもって覆われている。
【００１６】
表皮材（６）の周縁には、締付紐条（７）を通すための筒状の挿通部（８）が形成されている。挿通部（８）は、かがり糸をもって形成した多数のループを縫い付け、連結して形成したものでもよい。
締付紐条（７）は針金であってもよい。
【００１７】
表皮材（６）の挿通部（８）を基板（２）の側壁（３）の内方へ折り曲げ、かつ基板（２）の後縁においては、係止片（４）の内向鈎片（４ａ）の上面に係止させて、挿通部（８）へ通した、締付紐条（７）を引っ張って緊張させると、表皮材（６）の周縁部は窄まって、基板（２）の下面に密着する。
【００１８】
この際、基板（２）の後縁（２ａ）の内側に湾曲する部分においては、締付紐条（７）は直線状になろうとするが、係止片（４）に受け止められるため、基板（２）の内側に押し戻されるような状態になる。したがって、締付紐条（７）は、表皮材（６）を基板（２）の後縁（２ａ）における湾曲部に密着させる。しかも締付紐条（７）は、内向鈎片（４ａ）に係止して外れるようなことがない。
【００１９】
【発明の効果】
本発明によると、締付紐条を緊張させたとき、締付紐条は係止片に受け止められて、安定した状態に緊張し、表皮材を確実に基板に設けることができるとともに、座席を所望の形状に形成することができる。
【００２０】
請求項２のように、基板に側壁を設け、かつその内側方へ係止片を設けると、表皮材もしくはクッション材は基板の側壁に密着し、かつ締付紐条の外れを効果的に防止することができる。
【００２１】
請求項３のように、係止片の下端に内向鈎片を設けると、締付紐条の外れは効果的に防止される。
【００２２】
請求項４のように、内向鈎片の上面を、側壁の下端より上方に位置させると、締付紐条は、表皮材の周縁部を基板の下面に接近させて、表皮材を側壁の下端に密着させ、表皮材を基板に確実に取付けることができる。
また、側壁と表皮材との間にクッション材が介在しているときには、クッション材が表皮材と側壁の下端との間からはみ出ないようにすることができる。
【図面の簡単な説明】
【図１】本発明の実施形態を示す座席の底面図である。
【図２】図１におけるＩＩ−ＩＩ線断面図である。
【図３】図１における基板を裏返して、その後縁部分を前上方から見た、一部切欠斜視図である。
【図４】従来の代表的な座席の底面図である。
【図５】図４におけるＶ−Ｖ線断面図である。
【図６】異なる例を示す図５と同様の断面図である。
【図７】図４におけるＶＩＩ−ＶＩＩ線断面図である。
【図８】異なる例を示す図７と同様の図である。
【符号の説明】
（１）脚
（２）基板
（２ａ）後縁
（２ｂ）中央部
（３）側壁
（４）係止片
（４ａ）内向鈎片
（５）クッション材
（６）表皮材
（７）締付紐条
（８）挿通部
（２１）脚
（２２）基板
（２２ａ）中央部
（２２ｂ）後縁
（２３）クッション材
（２４）表皮材
（２５）挿通部
（２６）締付紐条
（２７）側壁
【図１】
0003603251.tif 000002
【図２】
0003603251.tif 000003
【図３】
0003603251.tif 000004
【図４】
0003603251.tif 000005
【図５】
0003603251.tif 000006
【図６】
0003603251.tif 000007
【図７】
0003603251.tif 000008
【図８】
0003603251.tif 000009